(57)【要約】【課題】  表示に十分な視覚的効果が得られる表示装置を提供する。【解決手段】  本発明に係る表示装置は、平面型発光装置６の光出射面に透明表示体を重ね合わせて構成され、平面型発光装置６は、複数枚の導光板71、72を組み合わせると共に導光板毎に光源81、82を配備して構成されている。前記複数枚の導光板71、72は同一平面上にて互いに接合され、これら複数枚の導光板の接合界面60には遮光処理が施されている。又、光源81、82は導光板71、72毎に異なる発光色を有している。【選択図】      図２
2005156895.tif 000002
【特許請求の範囲】
【請求項１】
平面型発光装置の光出射面に透明表示体を重ね合わせて構成され、平面型発光装置は、複数枚の導光板を組み合わせると共に導光板毎に光源を配備して構成されていることを特徴とする表示装置。
【請求項２】
前記複数枚の導光板は同一平面上にて互いに接合され、これら複数枚の導光板の接合界面には遮光処理が施され、前記光源は導光板毎に異なる発光色を有している請求項１に記載の表示装置。
【請求項３】
前記複数枚の導光板の接合界面は、直線上、折れ線上若しくは曲線上を伸びている請求項１又は請求項２に記載の表示装置。
【請求項４】
前記複数枚の導光板は厚さ方向に互いに重ね合わされ、光出射方向の前方に位置する導光板には、後方に位置する導光板の一部を露出させるための窓が開設されている請求項１に記載の表示装置。
【請求項５】
前記複数枚の導光板は厚さ方向に配備され、光出射方向の前方に位置する導光板と後方に位置する導光板との間に第２の透明表示体が配備され、該透明表示体の中央部に形成された凸部が、その前方に位置する導光板及び透明表示体の中央部を貫通して、該前方の透明表示体の表面から突出している請求項１に記載の表示装置。
【請求項６】
前記光源は導光板毎に異なる発光色を有している請求項４又は請求項５に記載の表示装置。
【発明の詳細な説明】
【技術分野】
【０００１】
本発明は、例えばエレベータの乗場やかご内の壁面に取り付けられる表示装置に関するものである。
【背景技術】
【０００２】
図１２に示すように、エレベータの乗場には、乗場ドア５や三方枠４が取り付けられている壁面に、乗場ボタン１に内蔵された応答灯、かご位置インジケータ２、かごの到着予報や移動方向を表示するホールランタン３などの表示装置が配置されている。又、かご内の壁面にも、かご内操作盤に内蔵された応答灯、かご位置インジケータなどの表示装置が設置されている。これらの表示装置の光源としては、一般に白熱ランプが使用されている。
【０００３】
しかしながら、光源として白熱ランプを使用した表示装置においては、ランプの玉切れ時にランプ交換が必要となり、煩雑である。又、ランプからの光漏れの対策が必要であるため、構造が複雑となる。更に、表示装置の表示面と白熱ランプとの距離が短い場合に光むらが発生する問題があった。
【０００４】
そこで出願人は、図１３及び図１４に示す如き表示装置を提案している(特許文献１参照)。該表示装置は、図示の如く平面型発光装置(12)上に透明表示体(13)を配備して構成されている。
平面型発光装置(12)は、平板状の導光板(30)の両側部に、それぞれ複数のＬＥＤ(32)(33)を具えた光源(31)(31)を配備して構成されている。導光板(30)は、図１５に示す如くＬＥＤ(32)(33)の頭部が収容されるべき凹部(38)が形成された透明アクリル板(36)を具えている。該透明アクリル板(36)の背面には、光反射率の高い材質からなるインクを印刷して導光印刷層(37)を形成すると共に、透明アクリル板(36)の表面には、透光性の拡散シート(34)を配置し、導光印刷層(37)が形成された透明アクリル板(36)の背面には、反射シート(35)を配置している。又、ＬＥＤが配置されていない透明アクリル板(36)の側面にも、反射シートが配置されている。
【０００５】
図１３に示す如く、各光源(31)は、共通の基板上に前記複数のＬＥＤ(32)(33)を配列して構成されており、これらのＬＥＤは、発光色の異なるものが交互に並んでいる。例えば発光色が黄色のＬＥＤ３２と発光色が赤色のＬＥＤ３３とが交互に並んでいる。
【０００６】
この様に構成された平面型発光装置(12)においては、複数のＬＥＤが点灯されることによって、これらのＬＥＤから発せられた光が、導光板(30)の内部を導かれながら導光板(30)の全体に拡がり、最終的に導光板(30)の表面全域から前方へ均一に出射されることになる。
透明表示体(13)の表面若しくは裏面には、例えば図示の如く矢印などが印刷されており、平面型発光装置(12)からの光が透明表示体(13)に照射されることによって、所定の表示が行なわれる。
【０００７】
上述の表示装置によれば、光源からの光が導光板の内部を導かれながら全体に拡がり、導光板の全表面から前方へ均一に出射されることになるので、輝度むらのない品質の高い表示が実現される。
【特許文献１】国際公開公報ＷＯ０２／０７６８７０号
【発明の開示】
【発明が解決しようとする課題】
【０００８】
図１３に示す表示装置によれば、例えば黄色のＬＥＤ(32)を点灯させることによって黄色による表示が可能であり、赤色のＬＥＤ(33)を点灯させることによって赤色による表示が可能であるが、黄色と赤色の両方を同時に用いた色分け表示を行なうことは出来ず、然も表示が平面的なものであったため、表示の視覚的な効果が不十分である問題があった。
そこで本発明の目的は、十分な視覚的効果をもって表示を行なうことが出来る表示装置を提供することである。
【課題を解決するための手段】
【０００９】
本発明に係る表示装置は、平面型発光装置の光出射面に透明表示体を重ね合わせて構成され、平面型発光装置は、複数枚の導光板を組み合わせると共に導光板毎に光源を配備して構成されている。
該表示装置においては、光源からの光を受けてその表面から光を出射すべき導光板が複数枚の組み合わせとして配備され、各導光板が独自に光を出射するので、各導光板及び光源の配置や形状、発光色等に工夫を施すことによって、１枚の導光板が配備されているに過ぎなかった従来の表示装置に比べて、視覚的効果の高い表示が可能である。
【００１０】
例えば１つの構成において、前記複数枚の導光板は同一平面上にて互いに接合され、これら複数枚の導光板の接合界面には遮光処理が施され、前記光源は導光板毎に異なる発光色を有している。
該具体的構成によれば、複数の導光板を異なる色で発光させることが可能であり、これによって高い視覚的効果を得ることが出来る。
【００１１】
具体的には、前記複数枚の導光板の接合界面は、直線上、折れ線上若しくは曲線上を伸びている。
該具体的構成においては、接合界面を境にして両側の導光板が異なる色で発光し、その境界線が直線、折れ線若しくは曲線の模様となる。
【００１２】
又、他の１つの構成において、前記複数枚の導光板は厚さ方向に互いに重ね合わされ、光出射方向の前方に位置する導光板には、後方に位置する導光板の一部を露出させるための窓が開設されている。
該構成によれば、前方の導光板から前方へ向けて光が出射されると同時に、該導光板に開設されている窓を通じて、後方の導光板からの光が前方へ出射され、これによって、透明表示体には照明状態の異なる２つの領域が形成されることになる。
【００１３】
更に他の１つの構成において、前記複数枚の導光板は厚さ方向に配備され、光出射方向の前方に位置する導光板と後方に位置する導光板との間に第２の透明表示体が配備され、該透明表示体の中央部に形成された凸部が、その前方に位置する導光板及び透明表示体の中央部を貫通して、該前方の透明表示体の表面から突出している。
該構成においては、前方の導光板から出射された光が前方の透明表示体へ入射して、該透明表示体を照明すると共に、後方の導光板から出射された光が後方の透明表示体へ入射し、該透明表示体の凸部を照明する。ここで該凸部は前方の透明表示体から更に前方へ突出しているので、立体感のある照明状態が実現される。
【発明の効果】
【００１４】
本発明に係る表示装置によれば、複数色による色分け表示や立体的な照明状態の実現によって十分な視覚的効果を得ることが出来る。
【発明を実施するための最良の形態】
【００１５】
以下、本発明をエレベータの表示装置に実施した形態につき、図面に沿って具体的に説明する。
第１実施例
本実施例の表示装置は、図１に示す如く、平面型発光装置(６)の表面に透明表示体(61)を重ね合わせて構成され、透明表示体(61)の表面を露出させた状態で乗場壁(41)に取り付けられている。
【００１６】
平面型発光装置(６)は、図２に示す如く、導光板アセンブリ(７)の下部及び上部に光源(81)(82)を配備して構成され、導光板アセンブリ(７)は、形状の異なる２枚のアクリル製の導光板(71)(72)を同一平面上で接合して構成され、両導光板(71)(72)の接合界面(60)は、方向性を表わす折れ線になって現われている。
【００１７】
導光板アセンブリ(７)は、図３に示す如く両導光板(71)(72)をそれぞれ所定の形状に加工し、接合界面(60)に遮光シート若しくは遮光印刷による遮光処理を施した後、両導光板(71)(72)を互いに接合一体化したものである。
光源(81)(82)はそれぞれ、基板(85)(86)上に複数のＬＥＤ(83)(84)を配列して構成されており、一方の光源(81)のＬＥＤ(83)は例えばオレンジ色に発光するものであり、他方の光源(82)のＬＥＤ(84)は例えば青色に発光するものである。
【００１８】
尚、導光板アセンブリ(７)を構成する導光板(71)(72)の上端面及び下端面には、光源(81)(82)を構成する複数のＬＥＤ(83)(84)の頭部をそれぞれ嵌入せしめるべき凹部(71a)(72a)が形成されている。
【００１９】
又、図１に示す透明表示体(61)は、上下一対のアクリル製の透明表示半体(62)(63)を接合して構成され、両透明表示半体(62)(63)の接合界面(69)は、導光板アセンブリ(７)の接合界面(60)と同一線上を伸びている。
【００２０】
上述の表示装置においては、例えば下方の光源(81)のＬＥＤ(83)がオレンジ色で発光すると共に上方の光源(82)のＬＥＤ(84)が青色で発光することにより、導光板アセンブリ(７)を構成する下方の導光板(71)の表面全域からオレンジ色の光が出射されると共に、上方の導光板(72)の表面全域から青色の光が出射される。そして、下方の導光板(71)から出射されたオレンジ色の光によって下方の透明表示半体(62)が照明されると共に、上方の導光板(72)から出射された青色の光によって上方の透明表示半体(63)が照明される。
【００２１】
この結果、透明表示体(61)は、下方の透明表示半体(62)が図２に示す下方の導光板(71)と同じ接合界面をもってオレンジ色に光ると共に、上方の透明表示半体(63)が図２に示す上方の導光板(72)と同じ接合界面をもって青色に光ることになり、２色による色分け表示が実現される。
【００２２】
導光板アセンブリ(７)を構成する２枚の導光板(71)(72)の形状としては、図４に示す如く矩形の接合界面(60)を有するものや、図５に示す如く波形の接合界面(60)を有するもの等、種々の形状を採用することが出来る。
【００２３】
更に又、透明表示体(61)は、図１に示す如き分割構造を採用することなく、図６に示す如く一体構造を採用することも可能である。
尚、図１に示す表示装置或いは図６に示す表示装置において、乗場壁(41)から露出する透明表示体(61)の形状として、図７(ａ)(ｂ)(ｃ)に示す如く円形、矩形、或いは楕円の輪郭を有する形状を採用することによって、該形状の内側に接合界面(60)の一部が現われた表示パターンを実現することも可能である。
【００２４】
第２実施例
本実施例の表示装置は、図８及び図９に示す如く、前方平面型発光装置(６Ａ)と、該平面型発光装置(６Ａ)の表面に重ね合わされた透明表示体(61)と、該平面型発光装置(６Ａ)の背面に重ね合わされた後方平面型発光装置(６Ｂ)とから構成される。
前方平面型発光装置(６Ａ)は、導光板(65)の両側部に例えばオレンジ色の光源(８)(８)を配備して構成され、導光板(65)の中央部には窓(66)が開設されている。又、後方平面型発光装置(６Ｂ)は、導光板(67)の両側に例えば青色の光源(85)(85)を配備して構成されている。
平面型発光装置(６Ａ)(６Ｂ)の導光板(65)(67)の上端面、下端面及び背面には遮光処理が施されている。又、導光板(65)(67)の前面及び窓(66)の内周面には拡散シートが貼着されている。
【００２５】
該表示装置によれば、前方平面型発光装置(６Ａ)の導光板(65)から前方へ向けて光が出射されると同時に、後方平面型発光装置(６Ｂ)の導光板(67)から前方へ向けて光が出射される。そして、後方平面型発光装置(６Ｂ)からの光は、前方平面型発光装置(６Ａ)の導光板(65)に開設されている窓(66)を通じて、透明表示体(61)へ入射する。
この結果、透明表示体(61)は、その周辺部を前方平面型発光装置(６Ａ)によって照明されると共に、その中央部を後方平面型発光装置(６Ｂ)によって照明される。ここで、前方平面型発光装置(６Ａ)の窓(66)の内周面も発光するので、該内周面が光っている状態も透明表示体(61)を通じて見えることになる。
この様に透明表示体(61)の背部にて立体的な光源が構成されて、透明表示体(61)に対する立体感のある照明状態が実現される。
尚、前方平面型発光装置(６Ａ)の窓(66)の内周面には遮光処理を施すことも可能であり、これによって導光板(65)の前面がより明るく光ることになる。
【００２６】
第３実施例
本実施例の表示装置は、図１０及び図１１に示す如く、前方平面型発光装置(６Ａ)と、該平面型発光装置(６Ａ)の表面に重ね合わされた第１透明表示体(61)と、該平面型発光装置(６Ａ)の背面に配備された第２透明表示体(９)と、第２透明表示体(９)の背面に重ね合わされた後方平面型発光装置(６Ｂ)とから構成される。
【００２７】
前方平面型発光装置(６Ａ)は、導光板(65)の両側部に例えばオレンジ色の光源(８)(８)を配備して構成され、導光板(65)の中央部には窓(66)が開設されている。又、後方平面型発光装置(６Ｂ)は、導光板(67)の両側に例えば青色の光源(85)(85)を配備して構成されている。
第１透明表示体(61)の中央部には窓(64)が開設されている。又、第２透明表示体(９)は、平板部(91)と、平板部(91)の前面に突設された凸部(92)とから形成され、該凸部(92)が前方平面型発光装置(６Ａ)の窓(66)と貫通し、更にその先端部が第１透明表示体(61)の窓(64)を貫通して、透明表示体(61)から前方へ突出している。
第２実施例と同様に、平面型発光装置(６Ａ)(６Ｂ)の導光板(65)(67)の上端面、下端面及び背面には遮光処理が施されている。又、導光板(65)(67)の前面及び窓(66)の内周面には拡散シートが貼着されている。
【００２８】
該表示装置によれば、前方平面型発光装置(６Ａ)の導光板(65)から前方へ向けて光が出射されると同時に、後方平面型発光装置(６Ｂ)の導光板(67)から前方へ向けて光が出射される。そして、前方平面型発光装置(６Ａ)からの光が透明表示体(61)へ入射すると共に、後方平面型発光装置(６Ｂ)からの光が第２透明表示体(９)の凸部(92)に入射する。
この結果、第１透明表示体(61)が前方平面型発光装置(６Ａ)によって照明されると共に、第２透明表示体(９)の凸部(92)が後方平面型発光装置(６Ｂ)によって照明される。ここで、第２透明表示体(９)の凸部(92)は第１透明表示体(61)の窓(64)から前方へ突出しているので、両透明表示体(61)(９)自体によって立体感のある照明状態が実現される。
尚、前方平面型発光装置(６Ａ)の窓(66)の内周面には遮光処理を施すことも可能であり、これによって導光板(65)の前面がより明るく光ることになる。
【００２９】
上述の如く第１実施例によれば、複数色による色分け表示によって十分な視覚的効果を得ることが出来る。又、第２実施例及び第３実施例によれば、立体的な照明状態の実現によって十分な視覚的効果を得ることが出来る。
【図面の簡単な説明】
【００３０】
【図１】本発明の第１実施例における表示装置の断面図である。
【図２】該表示装置に配備されている平面型発光装置の正面図である。
【図３】該平面型発光装置の分解状態を示す正面図である。
【図４】平面型発光装置の他の構成例を示す平面図である。
【図５】平面型発光装置の更に他の構成例を示す平面図である。
【図６】本発明の表示装置の他の構成例を示す断面図である。
【図７】更に他の構成例の要部を示す正面図である。
【図８】本発明の第２実施例における表示装置の断面図である。
【図９】該表示装置の分解斜視図である。
【図１０】本発明の第３実施例における表示装置の断面図である。
【図１１】該表示装置の分解斜視図である。
【図１２】エレベータの乗場を示す正面図である。
【図１３】従来の表示装置の正面図である。
【図１４】従来の表示装置の断面図である。
【図１５】導光板と光源の組立構造を示す一部破断側面図である。
【符号の説明】
【００３１】
(６)  平面型発光装置
(61)  透明表示体
(62)  透明表示半体
(63)  透明表示半体
(60)  接合界面
(７)  導光板アセンブリ
(71)  導光板
(72)  導光板
(81)  光源
(82)  光源
【図１】
2005156895.tif 000003
【図２】
2005156895.tif 000004
【図３】
2005156895.tif 000005
【図４】
2005156895.tif 000006
【図５】
2005156895.tif 000007
【図６】
2005156895.tif 000008
【図７】
2005156895.tif 000009
【図８】
2005156895.tif 000010
【図９】
2005156895.tif 000011
【図１０】
2005156895.tif 000012
【図１１】
2005156895.tif 000013
【図１２】
2005156895.tif 000014
【図１３】
2005156895.tif 000015
【図１４】
2005156895.tif 000016
【図１５】
2005156895.tif 000017